(57)【特許請求の範囲】
【請求項１】
スクリーンに映像を表示するための投射表示装置と、
回転自在な直線状の角度設定回転つまみと、
前記角度設定回転つまみの回転角度に基づいて前記投射表示装置の投射映像を補正するキーストン歪み補正装置とを有し、
前記角度設定回転つまみが初期設定位置から前記スクリーンと平行になる角度まで回転した場合に、前記キーストン歪み補正装置がキーストン歪みを補正することを特徴とするプロジェクタ装置。
【請求項２】
前記角度設定回転つまみは、リモコン制御するようにした請求項１記載のプロジェクタ装置。
【請求項３】
スクリーンに映像を表示するための投射表示装置と、
横方向に回転自在な直線状の横角度設定回転つまみと、
縦方向に回転自在な直線状の縦角度設定回転つまみと、
前記横角度設定回転つまみの横角度と前記縦角度設定回転つまみの縦角度に基づいて前記投射表示装置の投射映像の横方向および縦方向を補正するキーストン歪み補正装置とを有し、
前記横角度設定回転つまみが初期設定位置から前記スクリーンの横方向と平行になる角度まで回転し、前記縦角度設定回転つまみが初期設定位置から前記スクリーンの縦方向と平行になる角度まで回転した場合に、前記キーストン歪み補正装置がキーストン歪みを補正することを特徴とするプロジェクタ装置。
【請求項４】
前記横角度設定回転つまみおよび前記縦角度設定回転つまみは、それぞれリモコン制御するようにした請求項３記載のプロジェクタ装置。
【発明の詳細な説明】
【０００１】
【発明の属する技術分野】
本発明はスクリーンなどに映像を投射するプロジェクタ装置に関し、特に投射角度によって生ずる映像の歪を補正するためのプロジェクタ装置に関する。
【０００２】
【従来の技術】
従来のプロジェクタ装置は、プロジェクタ利用者がスクリーンに投射された現在の像を視覚し、リモコンのキー入力によりキーストーン歪み補正用の角度情報をプロジェクタ装置に入力している。この視覚による角度情報に基づいて、キーストーン歪み補正が行われ、スクリーンに補正が行われた像が投影される。一度の操作で歪み補正が行われないときには、プロジェクタ利用者は、再びその像を視覚し、リモコンのキー入力により、キーストーン歪み補正用の角度情報をプロジェクタに入力することで、キーストーン歪み補正調整を行っている。
【０００３】
【発明が解決しようとする課題】
従来のプロジェクタ装置は、キーストーン歪み補正するための角度情報を入力する際、単一方向しかキーストーン歪みが存在しない場合には適当な調整手法であるが、複合されたキーストーン歪みが存在する場合には、適当なキーストーン歪み補正用の角度情報をプロジェクタ利用者が導き出し、入力することがきわめて困難である。また、キーストーン歪み補正するための角度情報を入力する為に、スクリーンに投射された像を視覚する必要がある。
【０００４】
本発明の目的は、スクリーンとプロジェクタの投射角度から生ずるキーストーン歪みを補正するための角度情報の入力を容易にするプロジェクタ装置を提供することにある。
【０００５】
【課題を解決するための手段】
本発明のプロジェクタ装置は、スクリーンに映像を表示するための投射表示装置と、回転自在な直線状の角度設定回転つまみと、前記角度設定回転つまみの回転角度に基づいて前記投射表示装置の投射映像を補正するキーストン歪み補正装置とを有して構成され、前記角度設定回転つまみが初期設定位置から前記スクリーンと平行になる角度まで回転した場合に、前記キーストン歪み補正装置がキーストン歪みを補正する。
【０００７】
また、本発明における前記角度設定回転つまみは、リモコン制御するように形成することがで
きる。
【０００８】
さらに、本発明のプロジェクタ装置は、スクリーンに映像を表示するための投射表示装置と、横方向に回転自在な直線状の横角度設定回転つまみと、縦方向に回転自在な直線状の縦角度設定回転つまみと、前記横角度設定回転つまみの横角度と前記縦角度設定回転つまみの縦角度に基づいて前記投射表示装置の投射映像の横方向および縦方向を補正するキーストン歪み補正装置とを有して構成され、前記横角度設定回転つまみが初期設定位置から前記スクリーンの横方向と平行になる角度まで回転し、前記縦角度設定回転つまみが初期設定位置から前記スクリーンの縦方向と平行になる角度まで回転した場合に、前記キーストン歪み補正装置がキーストン歪みを補正する。
【００１０】
また、本発明における前記横角度設定回転つまみおよび前記縦角度設定回転つまみは、それぞれリモコン制御するように形成することができる。
【００１１】
【発明の実施の形態】
次に、本発明の実施の形態について図面を参照して説明する。
【００１２】
図１は本発明の第１の実施の形態を説明するためのプロジェクタ装置の主要部のブロック図である。図１に示すように、本実施の形態におけるプロジェクタ装置１は、スクリーンとプロジェクタ装置本体１の投射角度から生ずるキーストーン歪みを補正するための角度情報を入力するために、投射されるスクリーンと平行になるように、ボリューム角度設定手段としての角度調整を行う角度設定回転つまみ２と、この角度設定回転つまみによる角度情報よりキーストーン歪みの補正を行うキーストーン歪み補正装置３と、このキーストーン歪み補正装置３の出力によりキーストーン歪み補正された像をスクリーンに投射する投射表示装置４とを有している。この角度設定回転つまみ２は、通常操作性を考慮してプロジェクタ装置本体１の上面に取り付けられる。これによって、キーストン歪み補正装置３は、角度情報によりキーストーン歪みを補正した画像を作成することができ、装置本体としては、角度情報の入力を容易にすることが出来る。
【００１３】
図２は図１における回転つまみの回転動作を説明するための模式図である。図２に示すように、プロジェクタ装置１の上面に取り付けられる角度設定回転つまみ２は、必らずしも投射表示装置４の真上で無くてもよいが、便宜上ここでは中心線を一致させている。この回転つまみ２は、座標軸上の第１〜第４象限いずれの方向に対しても回転可能なように設定されており、角度設定回転つまみ２は投射方向と回転つまみの把手が垂直になる向きを角度０°（度）としている。
【００１４】
図３（ａ）〜（ｃ）はそれぞれ図１においてキーストン歪みを補正する前の状態を説明するプロジェクタ装置とスクリーンの概念図である。まず、図３（ａ）に示すように、キーストン歪みを補正する前の状態では、プロジェクタ装置１の投射表示装置４からスクリーン５に投射される映像の投射角度（スクリーン角度）がα°とする。このとき、角度設定回転つまみ２の回転角度（ボリューム角度）は０°となっている。
【００１５】
また、図３（ｂ）に示すように、キーストン歪み補正装置３におけるキーストン歪み全補正量６は、角度設定回転つまみ２が操作されていないため、無補正の状態にある。
【００１６】
このため、図３（ｃ）に示すように、投射表示装置４からスクリーン５に対して投射された映像は、スクリーン５の左側が詰り、右側が伸びた映写領域７を形成している。
【００１７】
図４（ａ）〜（ｃ）はそれぞれ図１においてキーストン歪みを補正した後の状態を説明するプロジェクタ装置とスクリーンの概念図である。まず、図４（ａ）に示すように、前述した図３（ｃ）の投射映像に対し、キーストン歪みを是正するため、プロジェクタ装置１における角度設定回転つまみ２の回転角度をβ°に調整し、スクリーン５と回転つまみ２の水平軸とが平行になるようにする。
【００１８】
ついで、図４（ｂ）に示すように、キーストン歪み補正装置３は、角度設定回転つまみ２からの角度情報を得ることにより、投射表示装置４に対し、キーストン歪み補正量８を出力する。すなわち、投射表示装置４は、右側が詰り、左側が伸びた補正をかけられる。
【００１９】
この結果、図４（ｃ）に示すように、スクリーン５上には、スクリーン５の上辺および下辺に平行となった映写領域７を実現することができる。
【００２０】
要するに、上述した実施の形態においては、現在の回転つまみの向きから角度を求め、キーストーン歪み補正装置３で求めた角度を入力する。このキーストーン歪み補正装置３は、入力された角度が０°の場合は入力されている画像を変形させず、入力された角度が０°以外の場合は入力された角度を元に入力されている画像をキーストーン歪として生ずる台形〔図３（ｃ）〕とは逆向きの台形〔図４（ｂ）〕となるように変形させる。次に、キーストーン歪み補正装置３は画像を投射表示装置４に入力することにより、投射表示装置４は入力された画像をスクリーン５に投射する〔図４（ｃ）〕。
【００２１】
また、上述の実施の形態におけるボリューム角度設定手段としての角度設定回転つまみ２は、外部よりリモコン操作によって制御することができる。
【００２２】
図５（ａ），（ｂ）はそれぞれ本発明の第２の実施の形態を説明するためのプロジェクタ装置の主要部の側面図および上面図である。図５（ａ），（ｂ）に示すように、本実施の形態は、映像を表示するための投射表示装置４と、前記映像を表示する際に投射角度に応じて横方向のキーストン歪みを補正するためのボリューム角度を調整する第１のボリューム角度設定手段としての横角度設定回転つまみ９と、縦方向のキーストン歪みを補正するためのボリューム角度を調整する第２のボリューム角度設定手段としての縦角度設定回転つまみ１０と、これら回転つまみ９，１０の各出力に基づいて投射表示装置４の投射映像に対する横方向および縦方向のキーストン歪みを補正するキーストン歪み補正装置３とを有している。この横角度設定回転つまみ９は、前述した図１の角度設定回転つまみ２と同様に、本体装置１の上面に取り付けられるが、縦角度設定回転つまみ１０は、本体装置１の側面に取り付けられる。また、これら２つの回転つまみ９，１０は、それぞれ独立にキーストン歪みを調整することができるようになっており、双方の角度情報がキーストン歪み補正装置３に供給される。
【００２３】
図６は図５におけるキーストン歪みを補正する前の状態を説明するスクリーンと映像の概念図である。図６に示すように、スクリーン５に投射される映像領域７は、左側が小さく、右側が大きく投射されるとともに、上側および下側は共に図示のように変形されて投射されるものとする。
【００２４】
図７（ａ）〜（ｃ）はそれぞれ図６におけるキーストン歪みを補正した後の状態を説明するプロジェクタ装置とスクリーンの概念図である。まず、図７（ａ）に示すように、横角度設定回転つまみ９は投射方向と回転つまみ９が垂直になる向きを角度０°（図２）とし、現在の回転つまみの向きから横角度を求め、キーストーン歪み補正装置３に対し、求めた横角度を入力する。一方、縦角度設定回転つまみ１０は、同様に投射方向と回転つまみ１０が垂直になる向きを角度０°（図２）とし、現在の回転つまみの向きから縦角度を求め、キーストーン歪み補正装置３に対し、求めた縦角度を入力する。すなわち、キーストン歪み全補正量６に対し、縦、横の補正量が決定される。
【００２５】
次に、図７（ｂ）に示すように、キーストーン歪み補正装置３は、入力された縦、横角度を元に入力されている画像をキーストーン歪として生ずる台形（図６の領域７）とは上下左右が逆向きの台形をしたキーストン歪み補正量８となるように変形させる。
【００２６】
この結果、図７（ｃ）に示すように、キーストーン歪み補正装置３は画像を投射表示装置４に入力する５と、投射表示装置４は入力された画像をスクリーン５に補正された映写領域７に投射する。
【００２７】
上述した実施の形態においても、第１および第２のボリューム角度設定手段としての回転つまみ９，１０は、それぞれリモコン制御するように形成してもよい。
【００２８】
【発明の効果】
以上説明したように、本発明のプロジェクタ装置は、角度設定回転つまみの向きをスクリーンへの投射角度と平行に回転させることにより、キーストーン歪み補正するための角度情報を導くことができ、従来の操作と比べて調整が容易になるという効果がある。
【００２９】
また、本発明は、縦横の複合したキーストーン歪みに対してもプロジェクタ設置時に、縦，横の角度設定回転つまみを設定することにより、スクリーンに像を投射せずとも安易にキーストーン歪みを補正することができるという効果がある。
【図面の簡単な説明】
【図１】本発明の第１の実施の形態を説明するためのプロジェクタ装置の主要部のブロック図である。
【図２】図１における回転つまみの回転動作を説明するための模式図である。
【図３】図１においてキーストン歪みを補正する前の状態を説明するプロジェクタ装置とスクリーンの概念図である。
【図４】図１においてキーストン歪みを補正した後の状態を説明するプロジェクタ装置とスクリーンの概念図である。
【図５】本発明の第２の実施の形態を説明するためのプロジェクタ装置の主要部の側面および上面を表わすブロック図である。
【図６】図５におけるキーストン歪みを補正する前の状態を説明するスクリーンと映像の概念図である。
【図７】図６におけるキーストン歪みを補正した後の状態を説明するプロジェクタ装置とスクリーンの概念図である。
【符号の説明】
１    プロジェクタ装置
２    角度設定回転つまみ
３    キーストン歪み補正装置
４    投射表示装置
５    スクリーン
６    キーストン歪み全補正量
７    映写領域
８    キーストン歪み補正量
９    横角度設定回転つまみ
１０    縦角度設定回転つまみ
【図１】
0003871905.tif 000002
【図２】
0003871905.tif 000003
【図３】
0003871905.tif 000004
【図４】
0003871905.tif 000005
【図５】
0003871905.tif 000006
【図６】
0003871905.tif 000007
【図７】
0003871905.tif 000008